(57)【要約】有機発光ダイオードシステムは、異なる構成、例えば手帳、ブリーフケース、スーツケースなどに取付ける上で充分に薄く、電力効率がよい。ＯＬＥＤ素材（４６）の少なくとも１つの面は、照射領域の面に対する取付けを容易にする固定手段（１００）を備えることができる。システムは、ＯＬＥＤ素材を作動させて光を発生させるための電力を供給する携帯式の電源（５０）を備えることができる。電池に接続されたスイッチ（４８）は、照明のオン位置とオフ位置とを切替えるためにＯＬＥＤ素材への電力を制御することができる。スイッチは手動または自動で操作することができる。ＯＬＥＤ装置の実施形態の低い電力消費は固有の用途および使用を提供する。
2012516000.tif 000002
【特許請求の範囲】
【請求項１】
有機発光ダイオードと、
前記有機発光ダイオードに電気的に接続し、着脱可能に装置に接続した電池と、
前記電池および前記有機発光ダイオードの間に電気的に接続し、前記有機発光ダイオードにおける電池の電力をオン位置とオフ位置との間で切替えるスイッチと、
前記有機発光ダイオードを目標照明域付近の面に着脱可能に固定するためのファスナと、
を備える装置。
【請求項２】
請求項１に記載の装置において、前記有機発光ダイオードに電気的に接続したホルダを備え、前記電池を着脱可能に前記ホルダに取付けた装置。
【請求項３】
請求項１に記載の装置において、前記電池が前記有機発光ダイオードに供給する電圧を２〜１０ボルトの範囲とする装置。
【請求項４】
請求項１に記載の装置において、前記有機発光ダイオードをフレキシブル構造とした装置。
【請求項５】
請求項１に記載の装置において、前記有機発光ダイオードをフレキシブルで細長い形状とした装置。
【請求項６】
請求項１に記載の装置において、前記ファスナをフックおよびループファスナまたは接着性のファスナとした装置。
【請求項７】
請求項１に記載の装置において、前記ファスナをフックおよびループファスナで構成し、少なくとも部分的に前記目標照明域の面に取付け、少なくとも部分的に組立体の面に取付けた装置。
【請求項８】
請求項１に記載の装置において、さらにソーラー充電器を備えた装置。
【請求項９】
請求項１に記載の装置において、前記目標照明域を衣服とした装置。
【請求項１０】
請求項１に記載の装置において、前記目標照明域を容器とした装置。
【請求項１１】
請求項１に記載の装置において、前記目標照明域を自転車用部品とした装置。
【請求項１２】
請求項１に記載の装置において、前記スイッチをヒンジに機械的に結合させた装置。
【請求項１３】
請求項１に記載の装置において、前記装置を細い側面を有する構成とした装置。
【請求項１４】
請求項１に記載の装置において、前記装置を薄型で高効率とした装置。
【請求項１５】
請求項１に記載の装置において、
前記有機発光ダイオードを幅寸法よりも長さ寸法が大きい形状とし、
前記スイッチを圧力スイッチとし、
前記電池を、３〜６ボルトの電圧を供給し、前記電池の幅および長さを、前記有機発光ダイオードの素材片の幅および長さよりもそれぞれ小さく構成し、
前記ファスナが、前記スイッチを目標照明域付近の面に着脱可能に固定する装置。
【請求項１６】
請求項１５に記載の装置において、前記有機発光ダイオード素材を剛体とした装置。
【請求項１７】
請求項１５に記載の装置において、前記有機発光ダイオード素材をフレキシブルとした装置。
【請求項１８】
請求項１７に記載の装置において、前記有機発光ダイオード素材が、柔らかい鞄の内面に取付けるに充分な柔軟性を有する装置。
【請求項１９】
請求項１７に記載の装置において、前記有機発光ダイオード素材が材料の複数層を有し、その１層を、ステンレス鋼のシートもしくはホイル、極薄ガラスシートまたは柔軟性の高いプラスチックで構成した装置。
【請求項２０】
請求項１９に記載の装置において、前記有機発光ダイオード素材が、手帳の内面に取付けるに充分な柔軟性を有する装置。
【請求項２１】
請求項１５に記載の装置において、フックおよびループファスナを備える装置。
【請求項２２】
請求項２１に記載の装置において、前記フックおよびループファスナの一部を前記有機発光ダイオード素材の後面に取付け、前記フックおよびループファスナの相補的な部分が、目標照明域の付近の面に取付けるための接着性部分を有する装置。
【請求項２３】
請求項２２に記載の装置において、
前記フックおよびループファスナの相補的な部分が接着性部分を覆う剥離層を有し、相補的部分を剥がす際に接着剤を露出させる装置。
【請求項２４】
請求項１５に記載の装置において、前記電池を再充電可能とした装置。
【発明の詳細な説明】
【技術分野】
【０００１】
（関連出願の相互参照）
本願は、2009年1月21日出願の米国仮出願第61/205,516号、2009年11月13日出願の米国出願第12／618,400号および2009年11月13日出願の米国出願第12／618,652号の優先権の利益を主張するものである。上記の各米国出願は、参照によりその開示全体を本明細書に取り込まれる。
【０００２】
本発明の実施形態は、概して照明システムに関する。特には、本発明の実施形態は、ポータブル照明デバイスの構造または使用に関する。
【背景技術】
【０００３】
携帯用の照明装置は、これまで、動作に悪影響を与えることなく異なる形態に適応する能力に関して重要な欠点を有していた。これら照明装置の多くは使用が難しく、構造が複雑で、特定の環境に使用が限られたものとなっていた。異なる種類の照明装置はサイズにおいて限定され、特定の空間に投入できる光量が限定されている。他のデザインの照明装置はとても大きく、携帯する上で障害となっていた。従来のフレキシブルなデザインは、光ファイバーケーブルの端部に１つの光源を必要とし、正しく作用するためには構成要素間で正確な方向に配置しなければならない。その他のものは、バッグや、照明対象表面への取付けが容易ではない。多くの場合、これらのポータブル照明のエネルギー需要は非常に大きく、頻繁に電池を交換するか、または大型電源を必要とし、携帯性を損なっていた。有機発光ダイオード（ＯＬＥＤ）が開発されたが、商品のための有意な応用はなされていない。多くの場合、ＯＬＥＤは研究機関が興味を示すものと考えられていた。
【先行技術文献】
【特許文献】
【０００４】
【特許文献１】米国特許出願公開第2009/0097234号公報
【発明の概要】
【発明が解決しようとする課題】
【０００５】
ＯＬＥＤは光源として以前にから開示されているが、本明細書において説明する発明を開示するものではない。一例としては、「照明デバイスおよび表示デバイス（Illumination Device Luminaire AND Display Device）」との名称で2009年4月16日に公開された米国特許出願公開第2009/0097234号公報で、発明者はフォン・マルム他である。上記のフォン・マルムの公報は、ＯＬＥＤの他に固有の反射特性を持つ特定のデバイスに関する。電力でＯＬＥＤが作動しないときに、フォン・マルムは反射の特徴を参照する。従って、それは本明細書中で説明し特許請求する本発明を開示するものではない。
【０００６】
例えば、電源として電池を使用するフォン・マルムの文献のＯＬＥＤは図６に関連し、電池が有するべき特性の記載、または本文中に記載されている方法および組合せで使用されるべきかどうかの記載が不足している。フォン・マルムは、電池が薄型かどうか、軽量かどうか、高効率かどうか、交換せずに何ヶ月も作動するのに充分な電力を有するかどうかを開示していない。フォン・マルムはさらに、光を発生させる必要があるときだけシステムを作動させることができるスイッチを開示していない。フォン・マルムはさらに、必要に応じて全ての装置を取外し、再度取付けることができることを開示しておらず、それは本発明の実施形態による利点とすることができる。本発明の一実施形態における携帯性の利点は、衣服を洗濯する場合あるいは照明が必要ないときに照明装置の取外すことができる点にある。
【課題を解決するための手段】
【０００７】
またさらに、電池の電源の範囲においてもフォン・マルムの文献を参照すると、それはＯＬＥＤが取付けられた対象物と一体となっているように見える。例えば、フォン・マルムの文献の図５について、バッグの締結要素は電池を備える。同様に図６に関して、図示の衣服はそれぞれにＯＬＥＤの電源を持って示される。これは、スイッチ、電池、およびＯＬＥＤが物体から全体として取外し可能で、さらに着脱可能に取付けることができる本発明の実施形態とは異なる。従って、フォン・マルムの装置は着脱可能な機能を有しておらず、発明の一体的な性質が明細書に記載されている。本発明の実施形態の他の特徴は、光を作り出すために必要な全ての構成要素が携帯性を有することであり、そのためフォン・マルムの文献において開示されるものよりも非常に用途が広いシステムを提供することができる。
【０００８】
本発明の実施形態のさまざまな効果は、以下の明細書および添付の特許請求の範囲の記載によって、また以下の図面を参照することによって明らかになる。
【図面の簡単な説明】
【０００９】
【図１】本発明の一実施形態に従い、スーツケースに取付けたフレキシブル照明装置の一実施例を示す斜視図である。
【図２】本発明の一実施形態に従う電池、スイッチおよびＯＬＥＤ素材の一実施例の略図である。
【図２Ａ】図２の２Ａ−２Ａ線に沿った断面図である。
【図３】本発明の一実施形態に従うＯＬＥＤ素材の形状の一実施例を示す分解図である。
【図４】本発明の一実施形態に従うフックおよびループファスナに取り付けられたＯＬＥＤ素材の一実施例を示す分解図である。
【図５】本発明の一実施形態に従って、正孔および電子を示すＯＬＥＤ素材の一実施例を示す略図である。
【図６】本発明の一実施形態に従うスイッチおよび電池を備えた電力ユニットの一実施例を示す断面図である。
【図７】本発明の一実施形態に従うフックおよびループファスナの一実施例を示す分解断面図である。
【図８】本発明の一実施形態に従うＯＬＥＤ照明装置を備えた自転車用シートの一実施例を示す斜視図である。
【図９】本発明の一実施形態に従う照明装置を備えた自転車用ハンドルバーの一実施例を示す斜視図である。
【図１０】本発明の一実施形態に従うＯＬＥＤ素材の照明をその上に備えた自転車用ホイールを示す側面図である。
【図１０Ａ】図１０の１０Ａ−１０Ａ線に沿った断面図である。
【図１１】本発明の一実施形態に従い、衣服にＯＬＥＤ照明装置を装着したサイクリストの一実施例を示す側面図である。
【図１１Ａ】図１１の一部分を示す拡大図である。
【図１１Ｂ】図１１ＡのＯＬＥＤ照明装置を示す側面図である。
【図１２】本発明の一実施形態に従うＯＬＥＤ照明装置および自動スイッチを備えた戸棚の一実施例を示す斜視図である。
【図１２Ａ】図１２のスイッチを示す拡大図である。
【図１２Ｂ】本発明の一実施形態に従う感光スイッチにより起動したＯＬＥＤ照明装置を示す側面図である。
【図１３】本発明の一実施形態に従う照明回路の一実施例を示す略図である。
【図１４】本発明の一実施形態に従うアクティブマトリクス方式のＯＬＥＤ装置の一実施例を示す略図である。
【発明を実施するための形態】
【００１０】
本発明の一実施形態は、有機発光ダイオード（ＯＬＥＤ）と、ＯＬＥＤに接続された電池と、電池およびＯＬＥＤの間に電気的に接続するスイッチとを備えた装置を提供するものである。オン位置とオフ位置との間で、スイッチはＯＬＥＤを制御しまたは切換えることができる。装置はさらにファスナを備え、ＯＬＥＤ素材が発する光を当てる領域付近の面にＯＬＥＤ素材を着脱可能に取付けることができる。電池は、交換および再充電の少なくとも１つを行うために、装置から取外すことができる。装置は携帯性を有しユニットとして移動でき、異なる用途においても同様に使用できる。
【００１１】
また、本明細書で開示する実施形態は、ＯＬＥＤの表面に貼り付けることができる固定手段を含み、その固定手段は、ＯＬＥＤ素材が照らす領域付近の面に対してＯＬＥＤを着脱可能に取付ける。この実施形態の一部は、電池室を有することができ、それはＯＬＥＤに電気的に接続するスイッチを有する固定手段に配置することができる。スイッチは、電池室、ＯＬＥＤ、および固定手段と一体とすることができ、所望の面に取付け次第、スイッチは電池からＯＬＥＤ素材への電力を制御することができる。
【００１２】
本発明の一実施形態は照明設備を取付けるためのキットを備えることができる。ここでキットはＯＬＥＤ、電池、スイッチおよび固定手段を有することができる。典型的な固定手段としては、フックおよびループファスナ、スナップファスナ、および／または接着剤を含むことができる。
【００１３】
本発明の一実施形態は、様々な種類の機器を想定することができ、特に夜間の道、高速道路および他の公共区域上で使用される。例えば、自転車は特別に設計されたＯＬＥＤ照明装置を取付けることができる非常に多くの面を有する。ＯＬＥＤ照明装置は、ＯＬＥＤ素材、軽量で薄型の電池、電池とＯＬＥＤ素材を電気的に接続するスイッチ、および照明装置を自転車の外面に対して着脱可能に固定するファスナを備えることができる。スイッチは、ＯＬＥＤ素材をオン位置とオフ位置との間で操作することができ、電池は交換または再充電するために照明装置から着脱可能とすることができる。装置は全体として、自転車の通常動作に実質的な妨げにならないために、同じサイズおよび重量とすることができる。
【００１４】
本発明の一実施形態はさらに、特に夜間における衣服の視認性を向上するためにＯＬＥＤ照明装置を衣服に取付けるための構成を備えることができる。照明装置はＯＬＥＤ素材、ＯＬＥＤ素材に接続された比較的軽量で好ましくは薄型の電池、電池とＯＬＥＤ素材との間に電気的に接続するスイッチ、および着脱可能に衣服の外表面に対して照明装置を固定するためのファスナを備えることができる。スイッチは、ＯＬＥＤ素材におけるオン位置とオフ位置との間で操作することができ、電池は交換または再充電するために照明デバイスから着脱可能とすることができる。好ましくは、照明装置はユーザの活動を実質的に妨げない重量およびサイズで、また充分にフレキシブルで、衣服の形状に適応した形である。照明装置は、夜間の高速道路上のユーザが着用した場合、近づいてくる車からの視認をより容易にすることができる。夜間に消防士、警察官、高速道路上で働く作業員、サイクリスト、ジョギングする人々、およびこの装置を着用する全ての人は、ＯＬＥＤ照明を提供することによってより確実に視認されるようになり、着用者にはほとんど、あるいは全く障害とならない。照明は様々な色とすることができ、例えば赤色は、接近する交通に危険または他の警告を示すことができる。
【００１５】
他の適用例はさらに、家庭または職場における、例えば書棚、戸棚、引き出し等の様々なエンクロージャの照明とすることができる。照明装置は、例えば戸棚の内部の照明のような、照明が照らす露出した外表面を有する構造物に対して取付けることができる。上述したように、照明装置はＯＬＥＤ素材、低電圧の電源、例えばＯＬＥＤに接続した電池、電源とＯＬＥＤ素材の間に電気的に接続されたスイッチ、および照明デバイスを着脱可能に戸棚構造の外表面に取付けるためのファスナを備えることができる。スイッチはＯＬＥＤ素材をオン位置とオフ位置との間で切換えることができ、電池は、交換および再充電の少なくとも１つのために照明デバイスから着脱可能である。
【００１６】
さらに、本発明の実施形態は、スーツケース、ブリーフケース、手帳等の内面を有する容器、およびそれらに取付けられて内側の空間を照らす照明デバイスを含むことができる。この、または他の環境において、ＯＬＥＤ照明装置の電池およびスイッチは可動部分を有するケースの中に入れることで、電池およびスイッチに触れることができる。
【００１７】
本発明の実施形態はさらに、ワイヤレスに、または接続された配線を通じて起動が検出され、また起動に応じて電力を電池からＯＬＥＤ素材に提供する方法を含むことができる。ＯＬＥＤ照明装置は着脱可能に表面に取付けることができ、さらに電池は着脱可能にＯＬＥＤ照明装置に接続することができる。ワイヤレス接続の場合においては、電源の起動は、無線周波数、可聴周波数、赤外線または他の光の周波数によってなされる。このシステムでは、起動装置をＯＬＥＤ照明装置自体からより離れた位置に配置することができる。
【００１８】
本発明の実施形態はさらに、有機発光ダイオードを有するデバイス、有機発光ダイオードに接続した電池、電池および有機発光ダイオードの間に電気的に接続するスイッチ、有機発光ダイオードをオン位置とオフ位置との間で切換えるための該スイッチ、および有機発光ダイオードを、照明を受ける領域の表面に着脱可能に固定するファスナを備えることができる。電池は、交換および再充電の少なくとも１つのために装置から着脱可能とすることができる。デバイスはさらに電池のためのホルダを備えることができ、電池は有機発光ダイオードに２〜１０ボルトの間の電圧を提供し、有機発光ダイオードはフレキシブルである。
【００１９】
本発明の実施形態はさらに、固定手段を有機発光ダイオードに貼り付ける方法、有機発光ダイオードを目標照射域の面に取付ける方法、電池を有機発光ダイオードに接続されるスイッチに、着脱可能に接続する方法を含み、スイッチは有機発光ダイオードをオン位置とオフ位置との間で切換えることができる。特定の実施形態において、固定手段は、剥離紙に覆われた接着剤とすることができ、その方法はさらに、接着剤を露出させて照射領域の面と係合させるために、剥離紙を剥がす工程を含むことができる。固定手段はさらに、フックおよびループファスナとすることができ、フックおよびループファスナの１つの部分は、照射領域の面に取付けることができ、また相補的な部分は組立て物の表面に取付けることができる。本発明の更なる実施形態において、電池、スイッチおよび有機発光ダイオードは、フックおよびループファスナの相補的な部分に取付けることができる。
【００２０】
本発明の実施形態はさらに、照明設備を取付けるためのキットを備えることができる。これらのキットは有機発光ダイオード、電池、スイッチ、および固定手段を備えることができる。電池は再充電可能とすることができ、キットはソーラー電池式の充電器を備えることができる。固定手段はフックおよびループファスナ、および／または接着剤を含むことができ、少なくとも電池、スイッチ、および有機発光ダイオードに対して部分的に取付けることができる。
【００２１】
本発明の実施形態はさらに外面を有する自転車部品、および例えばシート、リム、ハンドルバーのような自転車部品の外面に連結された照明デバイスを備え、自転車部品の視認性を向上することができる。照明デバイスは、フレキシブルな有機発光ダイオード、有機発光ダイオードに接続された電池、サイクリストが手動で操作することができ、電池および有機発光ダイオードの間で電気的に接続されるスイッチ、および照明デバイスを自転車部品の外面に着脱可能に取付けるファスナ、を備えることができる。スイッチはさらに、有機発光ダイオードをオン位置とオフ位置との間で切換える役割を果たすことができ、電池は交換および再充電のうち少なくとも１つのために照明デバイスから着脱可能とすることができる。
【００２２】
本発明の実施形態はさらに、例えばシャツのような衣服を含むことができ、衣服の外表面に設けられた照明デバイスは衣服の視認性を向上するのに役立つ。実施形態において、照明デバイスは、有機発光ダイオード、有機発光ダイオードに接続した電池、電池および有機発光ダイオードの間に電気的に接続するスイッチ、および照明デバイスを衣服の外表面に着脱可能に固定するファスナを備えることができ、スイッチは、有機発光ダイオードをオン位置とオフ位置との間で切換えることができ、電池は交換および再充電のうち少なくとも１つのために照明デバイスから着脱可能とすることができる。この実施形態において、スイッチは衣服の着用者によって手動で操作でき、有機発光ダイオードはフレキシブルとすることができる。
【００２３】
本発明の実施形態はさらに、棚、壁、外側の面、および照明デバイスを含む戸棚構造を備えることができ、戸棚構造の外表面に対して取付け、照明デバイスは戸棚の内部を照らすのに役立つことができる。照明デバイスは、有機発光ダイオード、有機発光ダイオードに接続された電池、電池および有機発光ダイオードの間に電気的に接続するスイッチ、および照明デバイスを戸棚構造の外表面に着脱可能に取付けるファスナを備えることができる。スイッチは、有機発光ダイオードをオン位置とオフ位置との間で切換える役割を果たすことができ、戸棚のドアによって手動で操作することができる。電池は交換および／または充電するために照明デバイスから着脱可能とすることができる。
【００２４】
本発明の実施形態はさらに、容器の内面に取付けられて容器を照らす照明装置を有する容器を含むことができる。照明デバイスは、フレキシブルな有機発光ダイオード、有機発光ダイオードに接続した電池、および電池の間で電気的に接続するスイッチを備えることができる。この実施形態において、ファスナは照明デバイスを容器の内面に着脱可能に固定する役割を果たすことができ、スイッチは有機発光ダイオードをオン位置とオフ位置との間で切換える役割を果たすことができる。スイッチは容器のヒンジ部分により手動で操作可能とすることができる。この実施形態において、電池は交換および／または再充電のうち少なくとも１つを行うために照明デバイスから着脱可能とすることができ、容器はスーツケース、ブリーフケース、および手帳の中の少なくとも１つとすることができる。
【００２５】
本発明の実施形態はさらに、起動の検出と、起動に応じて電池から有機発光ダイオードへの電力の供給と、からなる方法を含むことができ、ここで有機発光ダイオードは着脱可能に表面に取付け、電池は着脱可能に有機発光ダイオードに接続することができる。起動は、ユーザがスイッチを押すこと、ドアを開けること、および容器を開けることのうち少なくとも１つによることができ、容器は少なくともスーツケース、ブリーフケース、および手帳の中の１つとすることができる。その方法はさらに、停止の検出および停止に応じて有機発光ダイオードからの電力供給の停止を含む。停止は少なくとも、ユーザがスイッチを切ること、ドアを閉じること、容器を閉めることの内の１つとすることができる。
【００２６】
本発明のポータブル照明装置の一実施例を、図１内で特定の適用例として示し、白色照明のフレキシブルなＯＬＥＤ照明装置４４をスーツケース１０の内側に取付ける。図示のフレキシブルなＯＬＥＤ照明装置４４はＯＬＥＤ素材片４６、固定手段、スイッチ４８および電池５０または他の電源を有する。図示の実施形態においては白色照明として示されているが、特定の使用方法に合わせてあらゆる色または複数の色を使用することができる。いくつかの場合では、緑色の照明または赤色の照明が好ましく、たんすの引き出し、棚、バッグまたはケースの内部を、夜間の例えば明るい照明が好ましくない場合に目障りになることなく充分に照らすことができる。
【００２７】
本発明の一実施形態におけるスイッチ４８は、圧力スイッチとすることができ、ユーザがその外面を押すと照明をオンにし、再び押すと照明をオフにすることができる。スイッチの他の種類は、例えばタッチスイッチ、トグルスイッチなどである。スイッチ４８はセンサを有することができ、それによればバッグが開いた時に自動的に照明を点けることができる。そのようなスイッチは周知であり、光センサまたは機械的に操作するデバイスを備え、それはバッグまたはスーツケースが開いたときには照明を点けて、それが閉じたときには照明を消すように作動する。本実施形態においてスイッチ４８は、ユーザがケースを照らそうとするときだけ照明を点けることができるように、手動で作動する。スイッチ４８は図示のように電池５０とＯＬＥＤ素材４６の間に電気的に接続されるが、ＯＬＥＤ素材への電力を制御する回路内であれば、他の場所に配置することができる。この方法において、スイッチは電池５０およびＯＬＥＤ素材４６から離れた位置に配置することができる。
【００２８】
図１３は、照明システムの回路の概略回路図を示し、スイッチ４８の起動を検出したことに応じて、電池５０からの電力がＯＬＥＤ素材４９に供給される。起動は従って、ユーザがスイッチ４８を押したこと、ドアが開くこと、またはブリーフケースのような容器が開くことに対応する。同様に停止の検出は、例えばユーザがスイッチ４８を押すこと（またはスイッチ構造によっては放すこと）、ドアが閉まること、またはブリーフケースのような容器が閉まることによる。回路はまた、少なくとも１つの電流制限抵抗器５１、および他の受動素子または能動素子を備え、インピーダンスマッチング、安定した動作、フィードバック等を提供することができる。ＯＬＥＤ素材４９は、単一のダイオード構造またはアレイ構造を持つことができ、各ダイオードはアレイの画素を表す。図１４はアクティブマトリックスＯＬＥＤ素材アレイの１部分の回路図を示す。図示の実施例においては、回路はスイッチングＴＦＴ（薄膜トランジスタ）５３、記憶コンデンサ５５、駆動ＴＦＴ５７、およびＯＬＥＤ５９を備える。さらに回路は信号回線６１、走査線６３、電力供給ライン６５、キャパシタライン６７、共通回線６９を備えることがきる。
【００２９】
図示のスイッチングＴＦＴ５３のゲートおよびソースは走査線６３および信号回線６１にそれぞれ接続される。スイッチングＴＦＴ５３のドレインは、記憶コンデンサ５５に接続することができる。走査信号は、スイッチングＴＦＴ５３の状態を制御するために、走査線６３を経て出力されうる。図示のスイッチングＴＦＴ５３が実行状態（またはオン位置）にあるとき、信号回線６１の論理信号はノードＡに送信される。さらに、記憶コンデンサ５５の他の端子は、キャパシタライン６７に接続する。概して、ＯＬＥＤ素材配列のすべてのピクセルユニットのあらゆるキャパシタライン６７は通常接続されているとすることができる。ノードＡの論理信号は駆動ＴＦＴ５７のゲートに接続することができ、駆動ＴＦＴ５７のソースおよびドレインは電力供給ライン６５およびＯＬＥＤ５９のアノードにそれぞれ接続することができる。図示のＯＬＥＤ５９のカソードは共通回線６９に接続される。ノードＡにおける論理信号が駆動ＴＦＴ５７をオンにするとき、電力供給ライン６５、駆動ＴＦＴ５７、ＯＬＥＤ５９から共通回線６９への経路が閉回路を形成し、ＯＬＥＤ５９が発光する。駆動ＴＦＴ５７が実行状態でない（オフ位置にある）ときＯＬＥＤ５９は発光しない。さらに、通常、ＯＬＥＤ配列のすべてのピクセルユニットのあらゆる電力供給ライン６５および共通回線６９は共に、それぞれ接続することができ、そこにおいて、電力供給ライン６５は正の電圧に接続し、共通回線６９はアースされる。例えばパッシブマトリクスＯＬＥＤ配列方式のような他の駆動方式を用いることができる。
【００３０】
図３は、カソード７０とアノード７６との間に配置された放射層７２および導電層７４を持つＯＬＥＤ素材５２の一実施例の分解図を示す。放射層７２および導電層７４は有機分子またはポリマを備えることができ、材料５２は基材７８に取付けることができる。
【００３１】
図１および２に戻ると、照明システム４４がＯＬＥＤ素材片４６、手動スイッチ４８、および電池５０が図２の拡大図に示される。ＯＬＥＤ素材片４６は、ケース１０の底部分１４内の後部壁２２の内側面に対して、着脱可能に取付けることができる。底部分１４の上部壁１８は後部壁２２の反対側に位置し、対向する側壁１６および４０によって連結される。図示のスイッチ４８および電池５０は、図示のように側壁２０の内面に取付けることができ、ＯＬＥＤ素材片４６に電気的に接続される。ケース１０は、上部分１２を備えることができ、それは上部壁３８、反対側の底壁４２、図示のように上部壁と底壁を連結し対向関係にある２つの側壁３６および４０を定める。底部分１４および上部分１２の長さおよび幅寸法は実質的に同一とすることができ、縁端を係合して閉じる時に、この種のケースにとって周知の相補的な形態となる。上部分と底部分は異なる深さとすることができる。ハンドル２４は、閉じた状態でケースを運ぶために底部分１４の上部壁１８に設けることができる。
【００３２】
図２および２Ａに示すように素材片４６の後面、スイッチ４８および電池５０は、ＯＬＥＤ照明装置４４をバッグ１０の内側面に取付けるためのフックおよびループファスナの一部を持つことができる。フックおよびループファスナのループ部分１１４は、相補的なフック部分と係合するためにループ部分を露出させた状態で後部壁２２に固定する。同様に、フックおよびループファスナの相補的なフック部分１０８はＯＬＥＤ素材片４６の後面に固定する。フック部分は、実質的にＯＬＥＤ素材片４６の全体の長さにわたって延在することができる。これは、表面２２から誤って剥がれないことを保証し、さもないとケース１０の内容物と干渉してしまう。図示のスイッチ４８および電池５０はさらに、それらの後面にフック部分を持ち、相補的なループ部分をケース１０の表面２０に対して固定することができる。この方法により、重要な空間を占めることなく、照明装置を着脱可能にケース１０の内壁に取付けることができる。ＯＬＥＤ素材片４６およびスイッチ４８の深さ寸法は、１０ｍｍ未満とすることができる。電池は、２２ｍｍの直径および３．２ｍｍの厚さと同様に比較的薄い。電池ホルダは同様に薄くすることができ、約６ｍｍの厚さと約２８ｍｍの直径を持つ。電池およびスイッチの寸法は、１０倍以上大きくしても、本発明の効果を発揮することができる。ＯＬＥＤ素材片の厚さは１０倍以上大きくても、さらに本発明の効果を発揮することができる。電池の重量は約２．９ｇで、１．５ｇ未満から１０ｇ以上の間の範囲とすることができる。ホルダは約１．７ｇの重量であり、０．９５ｇから２．５ｇの範囲、およびそれ以上とすることができる。スイッチは約３．２ｇの重量であり、２．０ｇから１０ｇの間の範囲、およびそれ以上とすることができる。ＯＬＥＤは約０．２５ｇ／ｃm2の重量を持ち、０．１ｇ／ｃm2から０．５ｇ／ｃm2の範囲、もしくはそれ以上とすることができる。
【００３３】
ＯＬＥＤ素材片４６は、図１に示すように、幅約２．５ｃｍで長さ約１５ｃｍとすることができ、ほとんどのブリーフケース、スーツケース、および手帳に容易に取付けることができる。素材片４６は厚さ約２ｍｍとすることができるが、ＯＬＥＤ素材片を含めた材料の層によっては、１０ｍｍあるいはそれ以上の深さ寸法を有することができる。装置は、このサイズで、図示のように作動させたときにはスーツケースに対して充分な光を提供することができる。この実施形態において電池は、深刻な低下をせずにＯＬＥＤ素材片を約６００時間作動するのに充分な電力を提供することができることが好ましい。この実施形態において、提供される照明は１５Ｌｍ/Ｗから５０Ｌｍ/Ｗの範囲が好ましい。照明は１０Ｌｍ/Ｗと同程度に低くすることも、１００Ｌｍ/Ｗと同程度に高くすることもできる。
【００３４】
タクトスイッチが、本発明の実施形態の他の要素とともに使用される。高級な使用方法のため重量およびサイズが、スイッチおよび電池共に比較的小さく、わずかな重量であることが好ましい。例えば、図示のスイッチは２．５ｍｍの高さで、定格５０ｍＡ、１２ＶＤＣの単一投射接触構成のタクトスイッチである。その他のスイッチでは、例えば、メンブレンタクトスイッチ、トグルスイッチ、光学スイッチ、ロッカスイッチ、符号化ディップスイッチ、タッチスイッチおよびスナップアクションスイッチを使用することができる。タッチスイッチは、静電容量または抵抗タイプのスイッチとすることができ、例えば人間の指の接触により生じる抵抗または静電容量の変化に依存するものとすることができる。そのようなスイッチは、電気的な要求に応じると共に、装置が使用される環境に適合させたサイズ仕様に応じるために、様々なサイズが導入される。タッチスイッチの効果は、動作を妨げるおそれがある塵や他の破片を避けるために封止することができることを含む。タッチスイッチが好ましいが、上述した他の種類のスイッチも使用することができる。
【００３５】
この実施形態において、電池５０は、再充電可能とすることができ、バッグから取外して必要に応じて充電される。電池はこの目的のために使用され、ニッケルカドミウム、ニッケル水素、あるいは消耗に応じて再充電可能な他のいかなる電池でもよい。アルカリ電池および再充電不可能なリチウム電池のような、再充電不可能な電池を使用することもできる。電池は好ましくは、ケースの内側部分に対して所望の量の光を提供することができるようにＯＬＥＤ素材に適合させる。
【００３６】
ＯＬＥＤはほとんど電力を要求しないが、良好なレベルの光を生み出すために電流が必要である。図５において、ＯＬＥＤ素材の概略図はその動作を示す。基材８８の上に、アノード８６およびカソード８０は配置され、図示のように導電層８４および放射層８２を係合する。適正な電圧をアノード８６とカソード８０の間に設定すると、それらの間に電流が流れる。これは、放射層８２に電子８３を与えて、導電層８４から電子を取り出す。結果として生じる導電層の電子の欠如は、最終的に埋められる孔８５を形成する。孔８５が電子と再び結合するために放射層８２にジャンプするときに、光の形のエネルギーが形成される。この構造によって、低い電力要求で光を放つ極めて薄い材料を作成することができる。
【００３７】
ＯＬＥＤは大きな電力を必要としないので、電池は約３〜６ボルトの範囲で、またより好ましくは３．６〜４．８ボルトの範囲で作動させることができる。例えば、ＯＬＥＤ素材を作動するための電池は、ＣＲ３０３２ボタンタイプ電池とすることができ、それは一般的に利用できる。ＯＬＥＤに悪影響を与えることなく、光の所望の量を供給するためにＯＬＥＤに充分な電流を発生させる電圧を提供する限りは、いかなる電池でもよい。電池は、交換または再充電されなければならなくなる前に、電池が長時間持ちこたえることが好ましい。本明細書において説明する使用において、電池は、必要な空間を最小化するために比較的小さく、薄いことが好ましい。
【００３８】
電池の交換または再充電が必要となる前に、時間が経つにつれて若干の低下が発生することがある。約２０００ｍｍ2のデバイスは、充分なレベルの光を１３０時間供給する。電池が最初に取り付けられて作動するときに、約４ミリアンペアの電流を供給しなければならない。８０時間の使用の後、電流は約１．１ミリアンペア以上でなければならない。１３０時間の使用の後、電流は４０マイクロアンペアに低下する可能性があるが、まだ意図した使用のために必要な光を供給することができる。この場合、３．６ボルトの電池が基準を満たさなければならない。平均的なランプが１日に３時間作動するとして、それが再充電されることを必要とする前に、１．１ミリアンペアで２６日間作動した。もしＯＬＥＤ装置がブリーフケース、手帳等に使用された場合、それは１度に数分間作動して、電池は再充電または交換されることを必要とする前に、数ヶ月持続する。
【００３９】
電池を再充電する場合、本発明で使用する電池が互換性を持っていれば従来の充電器を使用することができる。特に、電池が非常に小さい電力を使用するので、一度消耗した電池を充電するためにソーラー充電器を使用することができる。比較的小さいソーラー充電器は、ほんの数時間、約４時間かそれ以下で３ボルトの電池を充電する充分な力を有する。比較的小さい携帯用のソーラー充電器は、日光によって内部電池を再充電する。ソーラー充電器は、ＯＬＥＤ照明装置とともに使用するデバイスを充電するために従来の方法でＯＬＥＤ電池に単純に接続される。数多くの異なるデザインのソーラーパネルがこの目的のために使用されうる。１つのそのような装置はのソリオ（登録商標）の「ハイブリッドソーラーチャージャー（Hybrid Solar Charger）」（商標）であり、３つの拡張可能なソーラーパネルと充電ケーブルの先端を受けるためのソケットからなる。ソリオ（登録商標）のデバイスは充電可能な３．７ボルト、１６５０ｍＡｈのリチウムイオン電池を備える。定格出力は、１．５〜５．５ワットである。パネルは０．８５ワットの最大出力を供給する。
【００４０】
この場合のＯＬＥＤ素材は少なくとも５層からなるが、それ以上でもよい。図示のようにＯＬＥＤは、基材、アノード、発光層、導電層およびカソードからなる。アノードとカソード間に電圧をかけると電流が発生し、ＯＬＥＤ素材片の全体の長さにわたって光を発する。「白色有機発光ダイオードおよびその製造方法（White-light Organic Light-emitting Diode (OLED) and its Fabrication）」という表題で2008年11月18日に公開のＪｏｕおよびＳｕｎによる米国特許第7453200号明細書（以下、特許`200）において、本発明の構成要素として使用できる多層デバイス示し、全体として本明細書において組み込まれる。特許`200の図１では６層のＯＬＥＤが、また図２では５層のデバイスが示され、少なく１つの実施形態において用いることができる。これらの構成のどちらでも、本明細書において説明される目的を満たすことができる。その構成がフレキシブルで、電池で作動することができて、取り外し可能な装置として他の要素で製造されることができる場合、本明細書中に示す本発明の実施形態に適応することができる。しかし本発明の実施形態を利用する多くの用途のために、実質的に剛体のデバイスが使用される。
【００４１】
装置がフレキシブルであってもそうでなくても、少なくともＯＬＥＤ構造のために使用する基材の種類の周りで回る。本明細書中に示す本発明の特定の実施形態において、フレキシブルな構成要素を使用することが好ましく、それは特にフレキシブル材料のために基材を必要とする。この目的のために、ステンレス鋼のシートまたはホイル、およびプラスチックほどフレキシブルでない極薄のガラスシートが多くの使用に適用することができる。例えばＰＥＴおよびＰＥＮポリエステルフィルムのような高度にフレキシブルなプラスチックが好ましい。ラミネート加工を施した、または薄いアルミホイルに覆われたプラスチックのような、材料の組合せをさらに使用することができる。
【００４２】
フレキシブルなＯＬＥＤ素材は、様々なサイズおよび形状に利用することができる。本発明の１つの実施形態においては、材料は約２０インチの長さで約１インチの幅を持つ細長い素材片の形状である。その素材片の形状はユーザの要求に応じてより長く、より短く、幅を広く、幅を狭くすることができ、装置から発せられる光によって空間を覆うことができる。ＯＬＥＤが張付けられる面として、例えば手帳または柔らかい鞄のように硬くなく、フレキシブルな機能によって素材片は追従して、装置のために必要な空間を最小化することができる。
【００４３】
図４は、照明装置の第１部材５４が、接着層５８によってフック材料６０のフレキシブル素材片を接着するＯＬＥＤ素材５６の後面を有し、それは図７に示すフックおよびループファスナの一部分である。ファスナの相補的な部分６２は、ループ材料６４の素材片であり、それは接着性の後面６６を持ち、相補的な部分を、スーツケースまたは他のバッグの露出した表面に固定する。一度相補的なループ部分６２をケースまたはバッグの表面に固定すると、フック部分は単にループ部分に押し当てることでＯＬＥＤ素材片の図示のように適した位置に固定することができる。ＯＬＥＤを交換しなければならない場合、第１部分５４を相補的なループ部分６２から剥がして、交換することができる。
【００４４】
この用途のためのフックおよびループファスナは周知でベルクロの商標の下で販売されている。例えば、ハントバレー・メリーランドのテスコテクノロジー社はベルクロ（登録商標）のファスナ、製品番号18072を、裏側部材を剥がして使う幅１インチ、長さ２５ヤードのテープとして販売している。裏側部材を剥がすと、ファスナ部分を所望の面に取付けるための接着剤が露出する。フックおよびループファスナの拡大図は図７を示す。特に、固定手段１００はフック部分１０２およびループ部分１１０を備える。図示のフック部分１０２は基材１０６の表面１０８に張付けた後面１０４を有する基材１０６を備える。同様に、ループ部分１１０は、基材の表面１１６に張付けられた後面１１２を有する基材１１４を備えることができる。基材１０６、１１４はさらに、嵌合するフックおよびループ構成を有し、２つの構成要素間での着脱可能の結合を確実にする。
【００４５】
スーツケース、ブリーフケースあるいは手帳は、適した場所にＯＬＥＤ照明装置を備えた状態で製造することができる。この場合、電池が消耗したときに電池を交換あるいは再充電するのみでよい。別のＯＬＥＤ照明装置としては、全ての構成部材を備えたキットとして製造し、所定の面にＯＬＥＤ、電池、およびスイッチを取付けるものがある。キットは、ＯＬＥＤ素材に予め取付けられたベルクロ（登録商標）のファスナのフック部分を有するＯＬＥＤ素材片、電池、スイッチ、およびベルクロ（登録商標）のファスナのループ部分からなり、それぞれ別々の部品とすることができる。ループ部分のフィルムを剥がして接着性の面を露出させ、それからループ部分をそこに取付けるためにスーツケースの表面に対して押し当てる。電池およびスイッチは、裏側の面にフック部分を有し、単にベルクロ（登録商標）のファスナの素材片のフック部分に押し当てたものとすることができる。電池およびスイッチは別々の部品とすることができ、あるいはＯＬＥＤ素材が形成されるかまたは取り付けられる連続基板の一部でありえる。いずれの場合でも、交換または再充電のために電池を着脱可能とすることができる。
【００４６】
図６は電力ユニット９０を示し、それは非導電材料の平面基材９２を有し、そこに電池９３およびタクトスイッチ９７が取付けられる。電池容器９４は通常、電池を受けるための凹部を有する円筒状である。バネ式のカソード９５は電池９３を係合して、ケースの凹部の上面に露出するアノード９６に押し付けて係合するために配置される。図示のように、導線はアノード９６およびカソード９５をスイッチ９７に接続し、最終的にＯＬＥＤ素材片に接続する。剛体のケース９１はこの実施形態において、基材９２の上に嵌合し、電池９３とスイッチ９７を完全に覆う。ケース９１は第１のフレキシブルで移動可能なキャップ９８を備え、閉じた位置では、スイッチ９７の上のアクセス開口８９を覆う。同様に第２のフレキシブルで移動可能なキャップ９９は、閉じた状態で電池９３の上のアクセス開口８７を覆う。この構成は、保護および動作の２つの目的を果たす。キャップ９８および９９は、閉じた位置と開いた位置の間で移動可能である。開口８７は、十分な大きさを有し、必要なときに、ユーザが電池を交換することができる。開口８９は電池９３の直径よりも大きく、ユーザがそこを通して電池を交換することができる。閉じた位置において、ケース９１とキャップ９８および９９とが、電池およびスイッチを覆うとともにそれらを誤作動または外部手段による係合から保護する。キャップ９８はスイッチ９７を起動させるために部分的にはがすことができる。キャップ９９は、電池を交換または再充電する必要がある場合、電池９３を露出させるために剥がすことができる。
【００４７】
本発明に係る柔軟性、サイズおよび動作は、これまで使用できなかった多くの目的において、照明装置を使用可能とする。例えば図８において自転車用のシート１２０が示され、その後側の面にフレキシブルなＯＬＥＤ照明１２４を備える。電力ユニット１２２は、ＯＬＥＤ照明１２４のすぐ上のシートに取付けられ、その操作を制御するためにそこに接続される。同様に、ＯＬＥＤ素材の複数の素材片は、所望のレベルの光を提供するため目立たない方法で、１つの電源で使用することができる。図９に示すとおり、ＯＬＥＤ素材の３つの素材片１３２、１３４、および１３６は図示のようにハンドルバーおよび中央部分に取付けられる。これらの素材片は電力ユニット１３０に電気的に接続され、１つの電池およびスイッチで照明材料の全ての３つの素材片を制御することができる。
【００４８】
ＯＬＥＤは実際の形状および形式において特に限定されるものではなく、様々な種類の機器を照らすものとして考えることができる。図１０、１０Ａ、および１１に示すように、ＯＬＥＤ照明の素材片１４２を自転車用ホイール１４０のリム１４６上に配置して作動させる。この実施形態において、２つのＯＬＥＤ素材片１４２をホイール１４０の外側のリムに互いに反対側に設ける。リム１４６は図示のようにタイヤ１４４をスポーク１４８に連結する。リム１４６の露出した縁端１５０は、タイヤ１４４が取付けられ、その頂点をスポーク１４８の底部に連結する。１つの縁端１５０とＯＬＥＤ照明素材片は、図２に関して上述したものと同様の方法でスポーク１４８を妨害することなく取付けることができる。この実施形態において、電力ユニット９０は素材片１４２の外表面に取付けることができる。この方法において、赤い光を発生するＯＬＥＤ素材を使用することができ、夜間走行において電源を入れることで自転車用の様々な部品を明るく照らすことができる。この実施形態におけるＯＬＥＤ素材は非常に軽いため、特に図１０に示すようにホイール１４０のバランスをとるため２つを使用した場合に、自転車の走行においてほとんど影響がない。
【００４９】
柔軟性によりＯＬＥＤ照明材料は、他の装置と同じように衣服に使用することができる。例えば、図１１Ａにおいて、Ｕ型ＯＬＥＤ素材照明素材片１６０は、ジョギングをする人が着用するシャツ１６８に取付けるように設計されている。素材片１６０は２つの向い合う縦方向部１６６を備え、横方向の素材片１６５によって、一端をそれぞれ接続される。素材片１６５の中央部は、図６に示す電池およびスイッチを有する電力ユニット７４である。フックおよびループファスナ１００は、縦方向の素材片１６６の上端または上端付近、あるいは横方向の素材片に近い縦方向素材片１６６の下端または下端付近に設けることができる。さらに好ましくは、素材片をシャツ１６８に取付けるため、横方向の素材片１６５の中央にフックおよびループファスナを有することが好ましい。図６に関して上述したように、各ファスナは接着剤を有する後面を露出させるための剥離紙を有するループ部分を備え、シャツ１６８の表面に対してループ部分を取付ける。フック部分をＵ型ＯＬＥＤ素材片１６０の後面に張付けるための接着性の表面を露出するための剥離紙を有する。この構成では、ＯＬＥＤ照明が必要ないときには、各ファスナ１６２のフックおよびループファスナの一部分を剥がすことにより、シャツ１６８からＯＬＥＤ素材片１６０を取外すことができる。ファスナの相補的な部分は、今後の使用のためのシャツ上に残る。
【００５０】
上述のＯＬＥＤ素材片を表面に取付けるための手段は特定のファスナに限定されるものではない。基材と表面との間で、フックおよびループファスナの代わりに様々な接着剤を使用することができる。この種の接着剤は、恒久的でも、一時的なものでもよい。
【００５１】
手段を自動として、手動でのスイッチの作動を不要としてもよい。この方法では、人間の介入を必要とすることなくＯＬＥＤを、ドア、戸棚、スーツケースまたは手帳等が開いた時に作動させて、閉じる時に停止することができる。図１２に示すように、スイッチ１２０はドア枠１２１上に配置され、ドア１２９によって作動される。電池１３０を備えたＯＬＥＤ素材片１３１は戸棚の棚１２８の下側に取付けることができる。スイッチ１２０は導線１２６および１２４を介して電池１３０に接続することができる。ドアが閉じた位置にあるとき、スイッチ１２０はオフ位置に動かすことができる。ドア１２９が開くとき、スイッチ１２０は、電池が電気的にＯＬＥＤ素材片１３１に接続されるオフ位置に動き、それを発光させることができる。
【００５２】
図１２Ａに示すように、この目的のためのスイッチはバネ式のローラーレバー１２２を有し、図示のようにオフ位置に偏る。スイッチは、ドアが閉じることによりレバー１２２が押し下げられてスイッチを切るようにドア枠に取付けられる。逆にいえば、ドアが開けられるときにレバーは開放され、スイッチをいれることができる。すなわち、図１２に示すようにドアが開いた位置にあるとき、スイッチ１２０は、ＯＬＥＤ素材片１３１を起動することができるオフ位置に移る。ドア１２９が閉じた位置に移動するとき、レバー１２２と係合して、ＯＬＥＤ素材片１３１を停止するためのオフ位置に動かす。これらは、ＯＬＥＤに適した電流および電圧の範囲内で作動するものとみなす。特に、ミリアンペアの範囲および３〜６ボルトの範囲でスイッチは上記の通りに作動する。
【００５３】
ドアによって作動して、上記の範囲で操作可能なあらゆるスイッチを適用することができる。この種のスイッチは、配線を取付けることが難しい環境ために、無線の一種とすることもできる。棚１４２に取付けられた無線の照明装置１４０を図１２Ｂに示す。組立体は感光スイッチ１４８、電池１５２、ＯＬＥＤ素材片１４４およびエミッタスイッチ１５０を備える。無線のエミッタスイッチ１５０は別々の電源（例えば充電式の電池）および光線を発するエミッタ１５４を備え、光線はＯＬＥＤ感光スイッチ１４８のレシーバ１５６によって感知することができる。エミッタスイッチ１５０はオン位置とオフ位置との間でプランジャ１５１によって作動される。このために、スイッチ１５０は、エミッタ１５４を作動するために充分な電力を供給する別々の電源の電池１５２を備える。スイッチ１４８は、エミッタ１５４からの光の検知によって作動した時に、ＯＬＥＤ素材片１４４を起動するためのオン位置に切換わる。エミッタスイッチ１５０は、プランジャ１５１とオン位置とオフ位置との間で係合するドア１２９によって作動される。プランジャ１５１は、ドアが開けられるときに、エミッタ１５４に光を発生させる開いた位置の方へ偏ることができる。反対にドア１２９が閉じるとき、プランジャ１５１は係合して、スイッチ１５０のオフ位置に対応する閉じた位置へ移動する。一度レシーバ１５６が光の受信を停止すると、オフ位置に切り替わり、それによって電池１５２とＯＬＥＤ素材片１４４との間の電流を停止する。
【００５４】
ポータブルＯＬＥＤ照明装置の構成要素は、様々な環境における使用を想定した形式で販売されうる。この種のキットは上述のように、少なくとも１つのＯＬＥＤ素材片、電池、電池ホルダ、スイッチおよびベルクロファスナを備えることができる。
【００５５】
本発明の実施形態は、半導体の集積回路（「ＩＣ」）チップの全ての種類の使用に適用することができる。これらのＩＣチップの例は、プロセッサ、コントローラ、チップセット要素、プログラム可能論理アレイ（ＰＬＡ）、メモリチップ、ネットワークチップなどを備えるが、これに限定されるものではない。さらに、いくつかの図面で、信号回線は、線で表される。より多くの成分信号経路を示すために一部はより密集していてもよく、番号ラベルを持ち、成分信号経路の数を示し、および／または主要な情報の流れの方向を示すため少なくとも１つの端部における矢印を含んでもよい。これは、しかしながら、方法を制限するものとして解釈されてはならない。むしろ、この種の追加された詳細は、少なくとも１つの例示的な実施形態に関連した方法において、回路の理解を容易にするために使用することができる。付加的情報を有するか否かに関わらず、いかなる信号回線も実際に少なくとも１つの信号を有することができ、多角的な方向に伝わり、適切なあらゆる種類の信号方式、例えば、ディファレンシャルペア、光ファイバー回線、および／またはシングルエンド回線で行われるデジタルまたはアナログ回線で実施される。
【００５６】
以上において、サイズ、モデル、値、範囲について特定の実施例が与えらてきたが、本発明の実施形態はこれに限定されない。製造法が時間とともに成熟するにつれて、より小さいサイズのデバイスも製造することができるようになった。加えて、ＩＣチップおよび他の構成要素への周知の電力／アース接続は、説明および考察の簡易化のために、また本発明の実施形態の特定の態様が不明瞭とならないように、図面の中に示されても、そうでなくてもよい。さらに、構成は、本発明の実施形態が不明瞭となるのを避けるために、ブロック図形式で示すことができる。さらに、この種のブロック配置図の実施に関する特性を考えれば、非常に実施される形態の範囲のプラットフォームに依存する。すなわち、この種の特性は当業者にとって周知である。本発明の実施例を説明するために具体的な詳細（例えば回路）が記載される箇所は、当業者にとって明瞭で、これらの具体的な詳細なしで、またはバリエーションとともに、実施することができる必要がある。説明はしたがって、限定するものではなく、例示だと考えられるべきである。
【００５７】
本明細書中の用語「連結された（coupled）」、「取付けられた（attached）」、「固定された（secured）」、「接続された（connected）」は、直接的なまたは間接的なあらゆる種類の関係性に関し、電気であるか、機械であるか、流体であるか、光学的であるか、電磁気であるか、電気機械であるか、他のコネクションにあてはまることができる。加えて、本明細書で使用される用語「第１の（first）」、「第２の（second）」その他は考察を容易にするため、特に明記しない限り、特別に時間的あるいは年代的な意義をもたない。
【００５８】
本発明の様々な実施形態が備える携帯性および柔軟性によって、従来は不可能と考えられていた用途や使用を提供することができる。これらの使用においては、電力システムに基いた衣服を必要とすることなく衣服へ取付けることができる。言い換えれば、衣服はライトに電力を供給するためにそれ自身の電源を必要としない。むしろ、電力はＯＬＥＤ装置自体から得ることができる。
【００５９】
またさらに、本発明の実施形態は、装置の独立的な性質と、ＯＬＥＤ装置の負荷を繊細で壊れやすい材料の表面領域全体にわたって分配する固定手段の能力によって、繊細で壊れやすい材料にも取付けることができる。
【００６０】
またさらに、ＯＬＥＤ装置の実施形態の低い電力要求は、従来は不可能と考えられていた用途でのＯＬＥＤ装置の使用を容易にすることができる。例えば、飛行機での使用においては、不要な電界によって引き起こされる電子ノイズが、より大きな照明装置にとっての障害となっていたが、本発明のＯＬＥＤ装置の実施形態の低い電力消費によってこれを可能にすることができる。実際、低い電力消費によって飛行機のコックピット内に直接座席および他の領域の照明を提供することができる。同様に、ＯＬＥＤは高感度電子機器、例えば外科手術の機器、検知機器またはデータ通信機器の内外でバックアップ照明光源として用いることができ、より強力な照明供給源に関わる分野においても対応できる。
【００６１】
当業者は、上述の説明から、本発明の実施形態の幅広い技術を種々の形で実施することができることを認識する。従って、本発明の特定の実施例に関連した実施形態を説明したが、図面、本明細書および以下の特許請求の範囲の検討により当業者が他の実施形態を明らかにすることが考えられるため、本発明の実施形態の実際の範囲は制限されるべきではない。特定の実施形態の特徴は、他の実施形態の特徴と組み合わせることができる。このように、実施形態はいかなる形であれ、排他的であったり、または制限されるものではない。
【００６２】
以下は、発明者が権利を有する特許請求の範囲の一例である。一度正規の出願がなされると、異なる範囲の他の請求項も取得できるものと想定される。これらの請求項はいかなる形であれ最終的に請求する範囲を制限するように解釈されてはならない。
【図１】
2012516000.tif 000003
【図２】
2012516000.tif 000004
【図２Ａ】
2012516000.tif 000005
【図３】
2012516000.tif 000006
【図４】
2012516000.tif 000007
【図５】
2012516000.tif 000008
【図６】
2012516000.tif 000009
【図７】
2012516000.tif 000010
【図８】
2012516000.tif 000011
【図９】
2012516000.tif 000012
【図１０】
2012516000.tif 000013
【図１０Ａ】
2012516000.tif 000014
【図１１】
2012516000.tif 000015
【図１１Ａ】
2012516000.tif 000016
【図１１Ｂ】
2012516000.tif 000017
【図１２】
2012516000.tif 000018
【図１２Ａ】
2012516000.tif 000019
【図１２Ｂ】
2012516000.tif 000020
【図１３】
2012516000.tif 000021
【図１４】
2012516000.tif 000022
【手続補正書】
【提出日】平成23年9月15日(2011.9.15)
【手続補正１】
【補正対象書類名】特許請求の範囲
【補正対象項目名】全文
【補正方法】変更
【補正の内容】
【特許請求の範囲】
【請求項１】
有機発光ダイオードと、
前記有機発光ダイオードに電気的に接続し、着脱可能に装置に接続した電池と、
前記電池および前記有機発光ダイオードの間に電気的に接続し、前記有機発光ダイオードにおける電池の電力をオン位置とオフ位置との間で切替えるスイッチと、
前記有機発光ダイオードを目標照明域付近の面に着脱可能に固定するためのファスナと、
を備える装置。
【国際調査報告】
2012516000.tif 000023
2012516000.tif 000024